(57)【特許請求の範囲】
【請求項１】
表示パネル、および
前記表示パネルを支持するガイドパネル、
前記ガイドパネルと結合して表示パネルを組み立てる下部カバーで構成され、
表示パネルの前面と側面のみが表示装置の画面側に露出した表示装置であって、
前記ガイドパネルは、
前記表示パネルに対向する上面部と、
前記上面部から、前記表示パネルから離れる第１方向に突出した第１側面部と、
前記上面部から前記第１方向に突出し、前記第１側面部よりも前記表示パネルの中心から離れて配置された第２側面部と、
前記表示パネル側に突出して、前記表示パネルと前記ガイドパネルとの間に光が漏洩することを防止する突出部であって、前記ガイドパネルの上面部の端部に備えられる、突出部と、
前記表示パネルと前記ガイドパネルの上面部との間の空間に漏洩する光を遮断する遮光部であって、前記ガイドパネルの上面部の他の端部に備えられる、遮光部と
を含み、
前記下部カバーは、
前記表示パネルに対向する下面部と、
前記下面部から前記表示パネルに向けて突出した側面部と
を含み、
前記下部カバーの前記側面部は、前記第１側面部と前記第２側面部との間に挿入され、
前記第２側面部に向けて突出した第１結合部は、前記ガイドパネルの前記第１側面部に配置され、
前記第１結合部と結合される第２結合部は、前記下部カバーの前記側面部に配置される
表示装置。
【請求項２】
前記遮光部を前記ガイドパネルの上面部に備えた請求項１に記載の表示装置。
【請求項３】
前記表示パネルと前記ガイドパネルの間に配置され、前記表示パネルを前記ガイドパネルに付着する付着部材をさらに含む請求項１に記載の表示装置。
【請求項４】
前記付着部材を黒色で構成した請求項３に記載の表示装置。
【請求項５】
前記付着部材が、特定波長帯の光を透過させる物質で構成された請求項３に記載の表示装置。
【請求項６】
前記表示パネルは、液晶パネル、有機電界発光表示パネルまたは電気泳動表示パネルのいずれかである請求項１に記載の表示装置。
【請求項７】
前記表示パネルが液晶パネルの場合、液晶パネルに光を供給するバックライトをさらに含む請求項６に記載の表示装置。
【発明の詳細な説明】
【技術分野】
【０００１】
本発明は、表示装置に関するもので、特に、表示モジュールを実装した時に前面の画面と枠の間の境界がない、ボーダーレス表示装置に関するものである。
【背景技術】
【０００２】
近年、携帯電話（Ｍｏｂｉｌｅ  Ｐｈｏｎｅ）、タブレットＰＣ、ノートブックコンピュータなどの各種携帯用電子機器が発展するにつれて、これに適用することができる軽薄短小化が容易な平板表示装置（Ｆｌａｔ  Ｐａｎｅｌ  Ｄｉｓｐｌａｙ  Ｄｅｖｉｃｅ）に対する要求がますます増大している。これらの平板表示装置としては、液晶表示装置（Ｌｉｑｕｉｄ  Ｃｒｙｓｔａｌ  Ｄｉｓｐｌａｙ）、プラズマ表示装置（Ｐｌａｓｍａ  Ｄｉｓｐｌａｙ  Ｐａｎｅｌ）、有機電界発光表示装置、電気泳動表示装置などが活発に研究されている。  
【０００３】
これらの表示装置は、携帯電話（Ｍｏｂｉｌｅ  Ｐｈｏｎｅ）、タブレットＰＣ、ノートパソコンなどの携帯情報機器だけでなく、大型ＴＶなどの電子機器にも利用される。  
【０００４】
一方、近年、画像が具現される画面を除く領域を最小限に抑えることにより、表示装置の面積と重量を減らし、外観もきれいにするために、画面と枠との間の境界を除去したボーダーレス（ｂｏｒｄｅｒｌｅｓｓ）表示装置が提案されている。これらのボーダーレス表示装置では、画面が表示される表示装置の前面の画面と枠との間に境界がなく、全体的に画面と平らでなめらかな１つの平面が形成される。  
【０００５】
通常、このようなボーダーレス表示装置は、表示モジュールと、表示モジュールが設置される外装ケースのミドルフレーム（ｍｉｄｄｌｅ  ｆｒａｍｅ）を組み立てるとき、画面側に表示モジュールを覆う強化ガラスからなるカバーガラス（ｃｏｖｅｒ  ｇｌａｓｓ）を配置して、画面とミドルフレーム上部をカバークラスによって覆うように配置して、画面と枠との間の境界を除去することによって成される。  
【０００６】
しかし、このような構造のボーダーレス表示装置の場合、高価なカバーガラスが必要になるので、製造コストが大幅に増加するだけでなく、カバーガラスの重量によって製作した表示装置の重量が増加するという問題があった。また、カバーガラスを付着する工程が追加されるので、製造工程が遅延するという問題があった。
【発明の概要】
【発明が解決しようとする課題】
【０００７】
本発明は、前記した問題を解決するためのもので、表示モジュールを表示装置の外装ケースに結合するミドルフレームを表示モジュールの下部に配置することにより、外装ケースの画面側の面には、表示モジュールの表面だけが露出するようにすることで、重量を減少させ、工程が簡略化された表示装置を提供することを目的とする。
【課題を解決するための手段】
【０００８】
本発明は、前記の目的を達成するためのもので、表示パネルの表面および側面のみを表示装置の画面側に露出させることで、別途のカバーガラスなしにボーダーレス表示装置を提供することができるようになる。ここで、表示装置の表示パネルは、ガイドパネルに支持され、ガイドパネルは、ミドルフレームと結合して表示パネルが表示装置と結合する。  
【０００９】
ガイドパネルとミドルフレームには、それぞれ結合部が備えられてガイドパネルとミドルフレームが結合され、ここで、ガイドパネルとミドルフレームは、ガイドパネルの下部領域で結合され、ミドルフレームの上面もガイドパネルの下部領域に配置されるので、表示パネルの上部には、どのような表示装置の構成もなくなり、本体の画面側の面には、唯一、表示パネルの前面と側面のみが露出する。  
【００１０】
表示パネルの上面は、ガラスやプラスチックのような平らでなめらかな面で構成されるため、画面と枠との間の境界が除去され、ボーダーレスが可能になる。  
【００１１】
表示パネルは、ガイドパネルの上面に付着部材によって付着される。付着部材は、黒色で構成され、表示パネルとガイドパネルの上面との間の空間に光が透過して製作された表示装置の側面を通じて光が漏洩することを防止する。また、付着部材は、特定の波長帯の光を透過させる物質で構成して、表示装置の側面に帯状の設定されたカラーを具現することにより、表示装置の外観をきれいに装飾することができる。  
【００１２】
また、表示パネルとガイドパネルの上面との間には、光の透過を遮断する遮光部を備えることができる。遮光部は、ガイドパネルに設置することもでき、ミドルフレームに設置することもでき、ガイドパネルと一体に、または個別に構成することもでき、ミドルフレームと一体に、または別個に構成することもできる。  
【００１３】
表示パネルには、液晶パネル、有機電界発光表示パネル、電気泳動表示パネルのような様々な表示パネルを用いることができ、表示パネルが液晶パネルである場合、液晶パネルに光を供給するバックライトが追加で含まれる。
【発明の効果】
【００１４】
本発明では、表示素子が表示装置に組み立てられる時、表示装置の画面側には表示装置の他の構成は、外部に露出しないので、画像が具現される表示装置の前面の画面には表示素子のみが露出して、前面が全体的に同一なレベルの平らな面で構成され、画面と枠の境界面が除去されたボーダーレス表示装置の製作が可能になる。  
【００１５】
また、本発明では、カバーガラスのような別途の部品を用いずに、ボーダーレスの表示装置を製作することができるようになるので、製造コストを削減することができるだけでなく、表示装置の重量が増加することを防止することができるようになる。さらに、画面の前面には、表示パネルのみが露出するので、画面枠の画像が具現されない非表示領域を最小化することができるようになり、表示装置の非表示領域面積を減少させて外観をきれいに装飾することができるようになる。  
【００１６】
さらに、本発明では、遮光部を表示パネルとガイドパネルの上面との間に配置して、表示パネルとガイドパネルの間に光が透過することを遮断して、製作された表示装置の側面に光が漏洩することを防止することができるようになる。また、遮光部の構成なしに表示パネルをガイドパネルの上面に付着する接着部材を特定の波長帯の光が透過する物質で構成して、表示装置の外郭に帯状の設定された色が表示されるようにすることで、表示装置の外観をきれいにすることができるようになる。
【図面の簡単な説明】
【００１７】
【図１】本発明の第１実施例に係る表示装置の分解斜視図。
【図２】本発明の第１実施例に係る表示装置の断面図。
【図３】本発明の第１実施例に係る表示装置の他の構造を示した断面図。
【図４】本発明の第１実施例に係る表示装置のまた他の構造を示した断面図。
【図５】本発明の第２実施例に係る表示装置の断面図。
【図６】本発明の第３実施例に係る表示装置の断面図。
【図７】本発明の第３実施例に係る表示装置の他の構造を示した断面図。
【図８Ａ】本発明の第４実施例に係る表示装置の断面図。
【図８Ｂ】本発明の第４実施例に係る表示装置の断面図。
【発明を実施するための形態】
【００１８】
以下、添付した図を参照して、本発明について詳細に説明する。  
【００１９】
本発明では、表示モジュールを表示装置に組み立てる時に、表示装置の外装ケースのミドルフレームに表示モジュールが組み立てられた状態で表示装置と組み立てられる。つまり、ミドルフレームは、表示モジュールと表示装置の外装ケースを互いに結合させる結合手段として作用する。  
【００２０】
従来の表示装置では、表示モジュールが外装ケースと組み立てられて表示装置が完成したとき、ミドルフレームは、表示モジュールの外郭周囲に沿って配置されて、表示モジュールの画面と一緒に外部に露出する領域である。例えば、ＴＶの場合は、表示装置の画像表示側、すなわち、表示装置の前面に配置された画面の枠領域を形成して、画面と一緒に外部に露出する領域である。従来、ボーダーレス表示装置の場合、外部に露出する表示モジュールの上面とミドルフレームの上面がカバーグラスによって覆われるので、表示モジュールとミドルフレームの上面との間の境界面がない同一な平面からなる。  
【００２１】
つまり、従来の表示装置では、別途のカバーガラスを構成することにより、表示モジュールとミドルフレームの上面、すなわち、表示装置の外装ケースの上面との間の境界面がないボーダーレス表示装置が完成する。このように、カバーガラスが必要な理由は、表示パネルの画面とミドルフレームの上面が同一なレベルではないので、カバーガラスを付着することにより、表示装置の前面の画面と枠との間の境界領域を除去するためである。また、表示モジュールとミドルフレームを組み立てるときに表示モジュールとミドルフレームとの間に一定距離の隙間が発生するようになり、この隙間から外部の異物が侵入するので、カバーガラスによって表示モジュールとミドルフレームとの間の隙間を遮断して異物の侵入を防止するためのものである。  
【００２２】
しかし、カバーガラスを備える場合は、カバーガラスが高価な部品であるため、製造コストが増加するだけでなく、カバーガラスによって完成した表示装置の重量が増加することになる。特に、大型ＴＶなど大面積の電子機器に採用される表示装置には、大面積のカバーガラスが必要になるので、製造コストが大幅に増加して、表示装置及びこれを採用した電子機器の重量も大幅に増加することになる。また、カバーガラス付着工程が追加されるので、製造工程も複雑になる。  
【００２３】
本発明
では、表示装置を組み立てるときに表示モジュールのみが画面領域に露出して、外装ケースのミドルフレームのような表示装置の外装ケースが露出しないようにして、画面が配置される表示装置の前面が表示モジュールの上部基板によって全体的に同一なレベルの平らな平面になるようにする。もちろん、本発明では、表示モジュールは、ミドルフレームと結合して表示装置の外装ケースと組み立てられるが、ミドルフレームを表示モジュールの下部に配置することで、ミドルフレームが画面の枠に露出することを防止することにより、別途のカバーガラスの構成なしに、ボーダーレスの表示装置の製作が可能になる。図を参照して、これをさらに詳しく説明する。  
【００２４】
一方、以下の説明では、表示モジュールとして液晶表示モジュールを例に挙げて説明するが、これは説明の便宜のためである。本発明の表示モジュールは、液晶表示モジュールだけでなく、有機電界発光表示モジュールや電気泳動表示モジュールのような様々な表示モジュールを適用することができる。  
【００２５】
図１は、本発明の第１実施例による表示装置の分解斜視図であり、図２は、組み立てられた断面図である。ここで、図には表示装置の全体外装ケースの一部として、実際に表示モジュールと結合するミドルフレームのみ示した。図には示さなかったが、ミドルフレームによって表示モジュールが表示装置の外部ケースと結合する。  
【００２６】
ここで、表示装置は、電子機器の一部を意味する。例を挙げると、ＴＶの場合の表示装置は、ＴＶの画面が露出するＴＶ本体の前面を意味し、コンピュータの場合の表示装置は、モニタを意味する。また、ノートブックコンピュータの場合の表示装置は、ヒンジによって接続されたモニタを意味し、移動通信機器の場合の表示装置は、画面が露出する本体の前面を意味する。  
【００２７】
図１と図２に示したように、本発明の第１実施例による表示装置は、表示モジュールと、表示モジュールが結合して実装される表示装置の外装ケース、つまり、ミドルフレーム１６０で構成される。  
【００２８】
表示モジュールは、液晶表示モジュールであり、大きく分けると、画像を具現する液晶パネル１００と、液晶パネル１００に光を供給するバックライトからなる。液晶パネル１００は、第１基板１０１及び第２基板１０３と、その間の液晶層（未図示）で構成され、外部からの信号印加によって画像を具現する。  
【００２９】
しかし、本発明では、表示モジュールが液晶表示モジュールに限定されるものではなく、有機電界発光表示モジュール、プラズマ表示モジュールや電気泳動表示モジュールのような様々な表示モジュールを適用することができる。  
【００３０】
バックライトは、液晶パネル１００の下部側面に配置され、光を発光する複数のＬＥＤ（ＬｉｇｈｔＥｍｉｔｔｉｎｇＤｅｖｉｃｅ：１５２）が実装されるＬＥＤ基板１５１と、液晶パネル１００の下部に配置されてＬＥＤ１５２で発光した光を引導して液晶パネル１００に供給する導光板１２０と、液晶パネル１００と導光板１２０の間に備えられ、導光板１２０に引導されて液晶パネル１００に供給される光を拡散し集光する拡散シート１３４ａおよびプリズムシート１３４ｂ、１３４ｃからなる光学シート１３４と、導光板１２０下部に配置して導光板１２０の下部に引導される光を反射する反射板１２８からなる。  
【００３１】
バックライトの反射板１２８、導光板１２０および光学シート１３４は、下部カバー１４０に収納した後、下部カバー１４０とガイドパネル１２５を結合することによって組み立てられる。  
【００３２】
ガイドパネル１２５の上部には、液晶パネル１００が配置される。ガイドパネル１２５は、一定幅を有する四角形状の枠で形成され、液晶パネル１００の端部領域がガイドパネル１２５に置かれる。ここで、液晶パネル１００とガイドパネル１２５の間には、一定幅の四角い帯形状に構成され、液晶パネル１００をガイドパネル１２５に付着する接着部材１５０を備えることができる。  
【００３３】
液晶パネル１００は、第１基板１０１及び第２基板１０３と、第１基板１０１及び第２基板１０３の間に配置された液晶層（未図示）で構成される。第１基板１０１及び第２基板１０３は、ガラスやプラスチックのよう透明で平らで上下面が滑らかな材質で構成され、表示モジュールが表示装置と結合されたとき、表示装置の画面表示側には画像が表示される第２基板１０３のみが露出して、表示装置の画面表示側が画面と枠の境界がない、なめらかなボーダーレスで具現される。  
【００３４】
図には示さなかったが、第１基板１０１には、縦横に配列され複数の画素領域を定義する複数のゲートラインとデータラインが形成することができ、それぞれの画素領域には、スイッチング素子である薄膜トランジスタが形成され、画素領域の上には画素電極を形成することができる。また、薄膜トランジスタは、ゲートラインと接続するゲート電極、ゲート電極上にアモルファスシリコンなどを積層して形成される半導体層、半導体層上に形成することができ、データラインおよび画素電極に接続するソース電極およびドレイン電極からなることができる。  
【００３５】
第２基板１０３は、赤（Ｒｅｄ：Ｒ）、緑（Ｇｒｅｅｎ：Ｇ）および青（Ｂｌｕｅ：Ｂ）の色を具現する多数のサブ−カラーフィルタで構成されたカラーフィルタ、サブ−カラーフィルタ間を区分して液晶層を透過する光を遮断するブラックマトリックス（ｂｌａｃｋｍａｔｒｉｘ）からなることができる。  
【００３６】
このように構成された第１基板１０１及び第２基板１０３は、画像表示領域の外郭に形成されたシーラント（ｓｅａｌａｎｔ）（未図示）によって対向するように合着されて液晶パネルを構成し、第１基板１０１と第２基板１０３の合着は、第１基板１０１または第２基板１０３に形成された合着キー（未図示）を通じてなすことができる。  
【００３７】
また、第１基板１０１及び第２基板１０３には、それぞれ第１偏光板１１２及び第２偏光板１１４が付着し、液晶パネル１００に入力して出力する光を偏光させて画像を具現する。  
【００３８】
液晶パネル１００の代わりに、他の表示パネル、例えば有機電界発光表示パネル、プラズマ表示パネル、電気泳動表示パネルを用いる場合、画像を具現する画像表示手段である液晶層の代わりに、有機発光層、プラズマ層、電気泳動層がそれぞれ第１基板及び第２基板の間に配置され得る。  
【００３９】
導光板１２０は、ＬＥＤ１５２から入力した光を液晶パネル１００に引導するためのもので、導光板１２０の一側面、つまり、入光面に入射した光が導光板１２０の上面および下面で反射して他側面まで伝播された後、導光板１２０外部に出力する。ここで、導光板１２０は、直方体からなる。導光板１２０は、ＰＭＭＡ（ポリメチルメタクリレート）やガラスまたはポリエチレンテレフタレート（ＰＥＴ）などのような物質で形成され、下面には陰刻パターンまたは陽刻パターンが形成され、下面に入射する光を上面に反射させる。  
【００４０】
導光板１２０の入光面を通じて導光板１２０内部に入射した光は、導光板１２０の上面および下面で反射して入光面と対向する側面に伝播される。ここで、導光板１２０上面の法線に対して臨界角以上で上面に入射した光は、導光板１２０の上面で導光板１２０の内部に全反射して伝播され、臨界角以下で入射した光は、導光板１２０の上面を通じて出射され、液晶パネル１００に供給される。光学シート１３４は、導光板１２０から出力する光の効率を向上させ液晶パネル１００に供給する。光学シート１３４は、導光板１２０から出力された光を拡散させる拡散シート１３４ａと、拡散シートによって拡散した光を集光して液晶パネル１００に均一な光が供給されるようする第１プリズムシート１３４ｂ及び第２プリズムシート１３４ｃからなる。ここで、拡散シート１３４ａは、１枚が備えられるがプリズムシートは、プリズムがｘ、ｙ軸方向に垂直に交差する第１プリズムシート１３４ｂ及び第２プリズムシート１３４ｃを備え、ｘ、ｙ軸方向に光を屈折させて光の直進性を向上させる。  
【００４１】
ＬＥＤ１５２には、Ｒ（Ｒｅｄ）、Ｇ（Ｇｒｅｅｎ）、Ｂ（Ｂｌｕｅ）の単色光を発光するＲ、Ｇ、ＢのＬＥＤ、または白色光を発光するＬＥＤ素子を使用することができる。  
【００４２】
単色光を発光するＬＥＤを配置する場合、Ｒ、Ｇ、Ｂの単色光ＬＥＤを交互に一定間隔で配置して、ＬＥＤから発光する単色光を白色光に混合した後、液晶パネル１００に供給し、白色光を発光するＬＥＤ素子を備える場合、複数のＬＥＤ素子を一定間隔で配置して白色光を液晶パネル１００に供給する。  
【００４３】
ここで、白色光ＬＥＤ素子は、青色を発光する青色ＬＥＤと青色の単色光を吸収して黄色光を発光する蛍光体で構成され、青色ＬＥＤから出力される青色単色光と蛍光体から発光する黄色単色光が混合して、白色光として液晶パネル１００に供給される。図では、ＬＥＤ１５２が導光板１２０の一側面に配置されているが、導光板１２０の両側面に配置することもできる。  
【００４４】
ＬＥＤ１５２は、金属または可撓性フィルムからなるＬＥＤ基板１５１に実装される。ＬＥＤ基板１５２は、導光板１２０の側面に沿って配置されて、導光板１２０の側面（すなわち、入光面）と対向し、ＬＥＤ１５２がＬＥＤ基板１５１に実装されて、導光板１２０の側面を通じてＬＥＤ１５２の光が導光板１２０に入射する。  
【００４５】
図には示さなかったが、ＬＥＤ基板１５１の端部には、軟性回路基板を付着してＬＥＤ基板１５１に実装されるＬＥＤ１５２が液晶表示素子外部の駆動回路部と接続され、外部の信号がＬＥＤコントローラに信号および電力を供給し、この入力された信号に応じてＬＥＤコントローラがＬＥＤ１５２を駆動する。  
【００４６】
一方、本発明で液晶パネル１００に光を供給する光源は、ＬＥＤ１５２にのみ限定されるものではない。本発明で光源としてＬＥＤ１５２を例示して説明するのは説明の便宜上であって、本発明の光源が、ＬＥＤ１５２に限定されるのではない。  
【００４７】
本発明の光源として、ＣＣＦＬ（冷陰極管ランプ）やＥＦＦＬ（外部電極蛍光灯ランプ）などの蛍光ランプを使用こともできる。このような蛍光ランプを使用する場合、ＬＥＤ基板１５１の使用が必要なくなり、導光板の一側に蛍光ランプを収納するランプハウジングを配置する。このようなランプハウジングの内部の表面には、反射物質を塗布して蛍光ランプから放出された光を導光板１２０の側面に反射して光効率を向上させる。  
【００４８】
ガイドパネル１２５は、導光板１２０と光学シート１３４の端部と下部カバー１４０の側面を包み込む形で下部カバー１４０と結合する。  
【００４９】
導光板１２０の下部には、反射板１２８を配置する。反射板１２８は、導光板１２０の下面から出射する光を反射して、再び導光板１２０内部に反射することにより、光効率を向上させる。  
【００５０】
表示モジュールの下部には、表示装置のミドルフレーム１６０が配置される。ミドルフレーム１６０は、表示装置の外装ケースの一部として、表示モジュールを結合して表示モジュールと外装ケースを組み立てる。すなわち、ミドルフレーム１６０は、表示モジュールと外装ケースを結合させる媒体で、図ではミドルフレーム１６０が外装ケースと別個に構成して表示モジュールと結合した後、外装ケースと結合して表示モジュールと外装ケースを結合するが、ミドルフレーム１６０と外装ケースを一体に形成して（または一体の一部として）表示モジュールをミドルフレーム１６０と結合することにより、表示モジュールを外装ケースと直接結合することができる。  
【００５１】
このように、ミドルフレーム１６０を外装ケースと一体に形成する場合、図に示したミドルフレーム１６０は、外装ケースの一部分を示す。  
【００５２】
ミドルフレーム１６０は、底面と、底面から延長される側面で構成される。ミドルフレーム１６０を表示モジュールと結合するとき、ミドルフレーム１６０の底面は、下部カバー１４０の下部に配置され、側面は、ガイドパネル１２５の側面外側に延長されて、内部に表示モジュ
ールの一部を収納する。  
【００５３】
図に示したように、ガイドパネル１２５は、液晶パネル１００を置いて支持する上面部１２５ａと、上面部１２５ａから下方に延長した側面部１２５ｂと、側面部１２５ｂに備えられた第１結合部１２５ｃで構成される。また、ミドルフレーム１６０は、下面部１６０ａと、下面部１６０ａから上部に延長された側面部１６０ｂと、側面部１６０ｂに備えられた第２結合部１６０ｃで構成される。ガイドパネル１２５の側面部１２５ｂは、ミドルフレーム１６０の側面部１６０ｂに対応し、ガイドパネル１２５の第１結合部１２５ｃおよびミドルフレーム１６０の第２結合部１６０ｃが締結されることによって、表示モジュールがミドルフレーム１６０に結合される。第１結合部１２５ｃおよび第２結合部１６０ｃは、互いにフック（ｈｏｏｋｉｎｇ）結合するフック構造であり得る。もちろん、このような第１結合部１２５ｃ及び第２結合部１６０ｃがフック構造に限定されるものではなく、様々な構造が可能である。例えば、第１結合部１２５ｃ及び第２結合部１６０ｃは、ガイドパネル１２５とミドルフレーム１６０を機械的に結合させるネジおよびボルトのような機械的結合構造であり得、両面テープや接着剤のような接着構造でもあり得る。  
【００５４】
ここで、第１結合部１２５ｃ及び第２結合部１６０ｃの結合構造は、液晶パネル１００の下部領域、厳密に言えば、液晶パネル１００を置いて支持するガイドパネル１２５の上面部１２５ａ下部に配置される。また、ミドルフレーム１６０の側面部１６０ｂも、ガイドパネル１２５の上面部１２５ａ下部に配置される。  
【００５５】
したがって、ガイドパネル１２５がミドルフレーム１６０と結合するとき、ミドルフレーム１６０のすべて構成は、ガイドパネル１２５の上面部１２５ａの下部に配置され、上面部１２５ａの上部領域にはいかなるミドルフレーム１６０の構成も延長されなくなる。また、ガイドパネル１２５がミドルフレーム１６０と結合するとき、ミドルフレーム１６０のすべての構成が、ガイドパネル１２５の上面部１２５ａの外側に延長されなくなる。言いかえると、表示モジュールを表示装置に組み立てたとき、表示装置の画面側には表示パネルの前面および側面のみが露出して、表示装置の他の構成は、外部（すなわち、前面と側面）に露出しない。したがって、画像が具現される表示装置の前面の画面には、表示モジュールの前面と側面のみが露出するため、前面が全体的に同一なレベルの平らな面で構成され、画面と枠の境界面が除去されたボーダーレス表示装置の製作が可能になる。  
【００５６】
一方、表示装置に表示モジュールを組み立てるとき、表示パネル１００の上面と側面のみが外部に露出するのではなく、表示パネル１００とガイドパネル１２５の上面部１２５ａとの間の空間も外部に露出する。表示パネル１００とガイドパネル１２５の上面部１２５ａの間の空間は、導光板１２０と連結した空間なので、導光板１２０の上面を通じて出力する光が、表示パネル１００とガイドパネル１２５の上面部１２５ａの間の空間を通じて外部に出力される。このように、表示パネル１００とガイドパネル１２５の上面部１２５ａの間の空間に光が出力されると、表示装置の側面に光が漏洩する不良が発生することになる。特に、漏洩する光は、暗い環境で目立つので、暗い環境では表示装置が確実に不良とされる。  
【００５７】
本発明では、ガイドパネル１２５の上面部１２５ａに接着部材１５０を備えて表示パネル１００をガイドパネル１２５に固定する。接着部材１５０は、一定幅の四角い帯形状に構成して、表示パネル１００をガイドパネル１２５の上面部１２５ａに付着させる。接着部材１５０は、両面テープで構成することもでき、フォームパッドで構成することもできる。  
【００５８】
接着部材１５０は、表示パネル１００をガイドパネル１２５に付着させるだけでなく、表示パネル１００とガイドパネル１２５の間の空間に漏洩する光を遮断する。そのために、接着部材１５０は、黒色両面テープまたは黒色フォームパッドで構成することにより、表示パネル１００とガイドパネル１２５の間の空間に漏洩する光を効率的に遮断できるようになる。このように、表示パネル１００とガイドパネル１２５の間に漏洩する光を遮断することで、表示装置の側面に光が漏洩する不良を防止することができるようになる。  
【００５９】
接着部材１５０は、単純に表示パネル１００をガイドパネル１２５に付着させるだけでなく、表示装置の側面に光が漏洩することを遮断するので、接着部材１５０を光遮断部材と呼ぶこともできる。  
【００６０】
接着部材１５０は、特定のカラーで構成することもできる。接着部材１５０をカラーで構成することによって、接着部材１５０が単に表示装置の側面に光が漏洩することを遮断するのではなく、漏洩する光を利用して外観をきれいに装飾することができようなる。言いかえれば、接着部材１５０を黒色ではなく、特定波長の光を透過させる特定カラーで構成することによって、接着部材１５０によって表示パネル１００とガイドパネル１２５の間の空間を通じて外部に表示装置の側面に漏洩する光を完全に遮断するのではなく、一部の光を漏洩させる。  
【００６１】
ここで、漏洩する光が接着部材１５０のカラーと同一なカラーなので、表示装置の側面は、単純に光が漏洩するのではなく、表示装置の側面にそって特定カラーが帯状に表示されることによって、表示装置を美しく装飾することができようになる。特に、接着部材１５０を様々なカラーで具現して、表示装置の外観を様々なカラーで表示することにより、消費者の様々な欲求を満足させられるようになる。  
【００６２】
一方、表示パネル１００とガイドパネル１２５の間の空間は、表示装置の側面に露出される領域に比べて相対的にその面積が小さい。したがって、接着部材１５０によって表示装置の側面に特定カラーの帯を表示する場合、その幅が狭く表示装置の装飾効果が低下し得る。  
【００６３】
本発明では、表示パネル１００の側面にも特定カラーの帯を表示することにより、表示装置の装飾効果を最大化することができる。そのために、本発明では表示パネル１００の第１基板及び第２基板をシールするシーラントを特定波長の光を透過する物質で構成することにより、表示パネル１００に供給される光の一部が第１基板と第２基板の間に漏洩するようにすることにより、表示パネル１００の側面に沿って希望するカラーの帯が表示されるようにすることができる。  
【００６４】
ここで、表示パネル１００とガイドパネル１２５の間の空間に漏洩する光と、表示パネル１００の側面に漏洩する光を同一なカラーで構成することもでき、他のカラーで構成することもできる。このように、本発明では、表示装置の側面の２箇所に帯状の特定カラーを表示することにより、さまざまな表示装置の外観を飾ることができるようになる。  
【００６５】
このように、本発明では、表示パネル１００だけを表示装置の画面側の面に露出させて、ミドルフレームのような表示装置の他の構成を外部に露出させないことにより、カバーガラスのような別途の部品を使用せずにボーダーレス表示装置を製作できるようになる。その結果、高価な部品を使用しないので、製造コストを削減することができるだけでなく、表示装置の重量が増加することを防止することができるボーダーレス表示装置の製作が可能になる。さらに、画面前面には表示パネルのみが露出するので、画面枠の画像が具現されない非表示領域を最小限に抑えることができるようになり、表示装置の非表示領域面積を減らし外観をきれいに装飾することができるようになる。また、カバーガラスを付着するための工程が必要なくなるため、製造工程を短縮させることができ、製造効率を向上させられる。  
【００６６】
図３は、本発明の第１実施例によるボーダーレス表示装置の他の構造を示した図である。この構造の表示装置の構造は、図２に示した構造の表示装置の構造とほぼ類似しているため、同一な構成に対する説明を省略して、異なる構造に対してのみ説明する。  
【００６７】
図３に示したように、この構造のボーダーレス表示装置では、ミドルフレーム１６０の側面部１６０ｂの上面には、遮光部１６１が配置される。遮光部１６１は、表示モジュールから発光された光が外部に出光することを遮断するが、このよう本発明のボーダーレス表示装置で遮光部１６１を備えるのは、次のような理由からである。  
【００６８】
図２に対する説明で述べたように、本発明のボーダーレス表示装置では、ミドルフレーム１６０がガイドパネル１２５の上部に延長されないので、表示パネル１００の側面と、表示パネル１００とガイドパネル１２５の間の空間側面に何も構造物がなく、この領域が外部に露出するため、表示パネル１００とガイドパネル１２５の間の空間を通じて導光板１２０の上面を通じて出力された光が、外部に出力する。もちろん、表示パネル１００とガイドパネル１２５の間には光を遮断する接着部材１５０を配置することができるが、接着部材１５０によって光を完全に遮断することが難しいので、接着部材１５０を通じて一部の光が漏洩する。  
【００６９】
また、接着部材１５０を特定波長の光を一部透過させる材質で形成して、表示装置の外郭をきれいに装飾することもできるが、これらの装飾を願わない消費者を満足させることができない。  
【００７０】
この構造のボーダーレス表示装置では、遮光部１６１を備えることにより、表示パネル１００とガイドパネル１２５の上面部１２５ａの間に配置された接着部材１５０を透過する光を遮断することにより、表示装置の側面に光が漏洩することを防止することができるようになる。ここで、遮光部１６１の高さ（ａ１）は、表示パネル１００とガイドパネル１２５の上面部１２５ａの間の空間の幅（ａ３）より小さく設定する。理想的には、遮光部１６１の高さ（ａ１）と表示パネル１００とガイドパネル１２５の上面部１２５ａの間の空間の幅（ａ３）を同一にして、表示パネル１００とガイドパネル１２５の間の空間に光が漏洩すること完全に遮断することが好ましいが、表示装置の組立公差を勘案して、遮光部１６１の高さ（ａ１）を表示パネル１００とガイドパネル１２５の上面部１２５ａの間の空間の幅（ａ３）より小さく設定して、遮光部１６１と表示パネル１００の間に設定された幅（ａ２）の空間が形成されるようすることが好ましい。遮光部１６１と表示パネル１００の間の空間の幅（ａ２）は、組み立て公差に設定することが好ましい。  
【００７１】
遮光部１６１は、ミドルフレーム１６０の側面部１６０ｂと一体に形成してミドルフレーム１６０の側面部１６０ｂの上面から延長することもでき、ミドルフレーム１６０と別個に備えて、ミドルフレーム１６０の上面に設置することもできる。また、図では、遮光部１６１とミドルフレーム１６０の側面部１６０ｂの上面全体と同一な面積で形成され、遮光部１６１がミドルフレーム１６０の側面部１６０ｂから延長された形状で構成されているが、遮光部１６１をミドルフレーム１６０側面部１６０ｂの面積よりも小さく形成して、ミドルフレーム１６０側面部１６０ｂの上面の一部の領域から突出した形状に構成することもできる。  
【００７２】
また、図３に示したように、ガイドパネル１２５の上面部１２５ａの端部には、突出部１２５ｄを備えることができる。突出部１２５ｄは、光学シート１３４と表示パネル１００との間の空間に、表示パネル１００側に突出して、表示パネル１００とガイドパネル１２５の間に光が漏洩することを防止する。  
【００７３】
このように、本発明では、遮光部１６１によって表示パネル１００とガイドパネル１２５の間の空間に光が漏洩することを遮断するだけでなく、ガイドパネル１２５の支持部１２５ｂの端部に配置された突出部１２５ｄによっても光の漏洩を遮断することができるようになる。もちろん、本発明で遮光部１６１だけを構成して突出部１２５ｄは構成しないことできる。  
【００７４】
図４は、本発明の第１実施例によるボーダーレス表示装置の他の構造を示した図である。この構造の表示装置の構造も、図２に示した構造の表示装置の構造とほ
ぼ類似しているため、同一な構成に対しては説明を省略して、異なる構造に対してのみ説明する。  
【００７５】
図４に示したように、この構造のボーダーレス表示装置では、表示パネル１００とガイドパネル１２５の間の空間に漏洩する光を遮断するために、遮光部１２６をガイドパネル１２５の上面部１２５ａの一部の領域に設ける。ここで、遮光部１２６は、ガイドパネル１２５と一体に形成することができ、ガイドパネル１２５と別個に備えて、ガイドパネル１２５の上面部１２５ａの一部に設置することもできる。  
【００７６】
この構造のボーダーレス表示装置でも、遮光部１２６は、組立公差を勘案して遮光部１２６の高さを、表示パネル１００とガイドパネル１２５の上面部１２５ａの間の間隔より小さく形成する。  
【００７７】
また、この構造のボーダーレス表示装置でも、ガイドパネル１２５の上面部１２５ａの端部に配置された突出部１２５ｄを形成して、表示パネル１００とガイドパネル１２５の間の空間に漏洩する光をさらに遮断することができる。  
【００７８】
図５は、本発明の第２実施例によるボーダーレス表示装置の構造を示した断面図である。この実施例の表示装置の構造は、図２に示した第１実施例の表示装置の構造とは、ミドルフレームとガイドパネル、およびこれらの結合構造を除き、他の構成は、同一なので、同一な構成は説明を省略して、異なる構造に対してのみ説明する。図では、たとえ図２および図５で同一な構成が異なる符号（例えば、図２では１００番台の番号であり、図５では２００番台の番号）で記載されていても、同一な構成に対しては、図２に記載した説明に代えることができる。  
【００７９】
図５に示したように、この実施例の表示装置では、ガイドパネル２２５は、液晶パネル２００を支持する上面部２２５ａと、上面部２２５ａから下部に延長される２つの側面部２２５ｂ、２２５ｃを備え、ミドルフレーム２６０は、下面部２６０ａおよび側面部２６０ｂを備える。ここで、ガイドパネルの側面部２２５ｂ、２２５ｃは、互いに一定距離離隔して形成され、ガイドパネル２２５の上面部２２５ａと連結され、ガイドパネル２２５の側面部２２５ｂ、２２５ｃと上面部２２５ａによって結合空間２２５ｄが形成される。結合空間２２５ｄには、表示装置の外装ケースのミドルフレーム２６０の側面部２６０ｂが位置する。ガイドパネル２２５の側面部２２５ｂ、２２５ｃの間隔、つまり、結合空間２２５ｄの幅は、ミドルフレーム２６０の側面部２６０ｂの幅とほぼ等しいため、ミドルフレーム２６０の側面部２６０ｂがガイドパネル２２５の結合空間２２５ｄに挿入されると、ミドルフレーム２６０の側面部２６０ｂの両面がガイドパネル２２５の側面部２２５ｂ、２２５ｃと密着して、表示モジュールが表示装置に結合される。  
【００８０】
また、ガイドパネル２２５の側面部２２５ｂ、２２５ｃを、弾性を有する板状に構成して、ガイドパネル２２５の側面部２２５ｂ、２２５ｃの間隔、すなわち、結合空間２２５ｄの幅をミドルフレーム２６０の側面部２６０ｂの幅より小さく、ミドルフレーム２６０の側面部２６０ｂをガイドパネル２２５の結合空間２２５ｄに挿入すると、ガイドパネル２２５の側面部２２５ｂ、２２５ｃがミドルフレーム２６０の側面部２６０ｂによって外側に向かって開いた後、弾性によって、ミドルフレーム２６０の側面部２６０ｂに圧力を印加することにより、さらに堅くガイドパネル２２５とミドルフレーム２６０を固定するができようになる。  
【００８１】
ガイドパネル２２５の上面部２２５ａの一部の領域には、遮光部２２６を配置し得る。遮光部２２６は、表示パネル２００とガイドパネル２２５の上面部２２５ａの間に漏洩する光を遮断して表示装置の側面に光が漏洩することを防止する。遮光部２２６は、ガイドパネル２２５と一体に形成することもでき、個別に形成してガイドパネル２２５の上面部２２５ａに設置することもできる。  
【００８２】
第１実施例と同様に、この実施例の表示装置でも、遮光部２２６を備えずに表示パネル２００をガイドパネル２２５に付着する付着部材２５０を黒色で形成して、表示パネル２００とガイドパネル２２５の上面部２２５ａの間に漏洩する光を遮断することもでき、遮光部２２６を備えて、より効率的に光を遮断することもできる。  
【００８３】
また、遮光部２２６を備えずに付着部材２５０を特定カラー（つまり、特定波長の光を透過する）の物質で構成して、表示パネル２００とガイドパネル２２５の上面部２２５ａの間に特定カラーの光のみが漏洩するようにして、表示装置の外郭に特定カラーの帯が表示される装飾効果を得ることもできる。  
【００８４】
このように、この実施例の表示装置では、ガイドパネル２２５の側面部２２５ｂ、２２５ｃと上面部２２５ａによって形成される結合領域２２５ｄに、ミドルフレーム２６０の側面部２６０ｂを挿入して結合するので、この実施例のミドルフレーム２６０およびガイドパネル２２５は、別途の結合構造なしに結合される。その結果、この実施例の表示装置は、第１実施例の表示装置に比べて、構造が比較的簡単になる。  
【００８５】
また、この実施例の構造では、ミドルフレーム２６０の側面部２６０ｂがガイドパネル２２５の上面部２２５ａの下部に配置された結合空間２２５ｄに配置されるので、ミドルフレーム２６０のすべての構成が、ガイドパネル２２５の上面部２２５ａの下部に配置され、ガイドパネル２２５の外部にいかなる構造物も延長されないので、組み立てられた表示装置の画面側の前面には、表示パネル２００の前面と側面だけが露出するだけで、ミドルフレーム２６０を含む表示装置の他の構成は、全く露出しなくなる。したがって、表示装置の前面が全体的に同一なレベルの平らな面で構成され、画面と枠の境界面が除去された、ボーダーレス表示装置の製作が可能になる。  
【００８６】
図６は、本発明の第３実施例によるボーダーレス表示装置の構造を示した断面図である。この実施例の表示装置の構造は、図２に示した第１実施例の表示装置の構造とは、ミドルフレームとガイドパネルおよびこれらの結合構造を除いて他の構成は同一なので、同一な構成に対しては説明を省略し、異なる構造に対してのみ説明する。図では、たとえ図２および図６で同一な構成が他の符号（例えば、図２では１００番台の番号であり、図６では３００番台の番号）で記載されていても、同一な構成に対しては、図２で記載された説明に代えることができる。  
【００８７】
図６に示したように、この構造の表示装置では、外装ケースのミドルフレーム３６０には、下面部がなく、側面部３６０ａのみが存在し、側面部３６０ａには、第１結合部３６０ｂを具備する。また、表示モジュールのガイドパネル３２５は、液晶パネル３００を支持する上面部３２５ａと、上面部３２５ａから下部方向に延長される側面部３２５ｂを備え、側面部３２５ｂには、第２結合部３２５ｃと第３結合部３２５ｄが形成される。また、下部カバー３４０に第４結合部３４０ａを備える。  
【００８８】
ここで、ガイドパネル３２５の側面部３２５ｂに形成される第２結合部３２５ｃと第３結合部３２５ｄは、それぞれ側面部３２５ｂの両面に構成され、第２結合部３２５ｃがミドルフレーム３６０の側面部３６０ａの第１結合部３６０ｂと結合して、第３結合部３２５ｄが下部カバー３４０の第４結合部３４０ａと結合して、表示モジュールが表示装置に結合される。つまり、この構造では、ガイドパネル３２５の側面部３２５ｂだけがミドルフレーム３６０および下部カバー３４０と結合して表示装置に結合する。  
【００８９】
また、この構造でもミドルフレーム３６０のすべて構成が、ガイドパネル３２５の下部に配置されるので、組み立てられた表示装置の画面側の前面には、表示パネル３００の前面と側面だけが露出するだけで、ミドルフレーム３６０を含む表示装置の他の構成は全く露出しなくなる。したがって、表示装置の前面が全体的に同一なレベルの平らな面で構成されて、画面と枠の境界面が除去された、ボーダーレス表示装置の製作が可能になる。  
【００９０】
ミドルフレーム３６０の側面部３６０ａの上面には、遮光部３６１が具備される。遮光部３６１は、ミドルフレーム３６０の側面部３６０ａの上面から設定された距離だけ延長され、表示パネル３００とガイドパネル３２５の上面部３２５ａの間に漏洩する光を遮断することにより、表示装置の側面に光が漏洩することを防止する。  
【００９１】
もちろん、この実施例の表示装置でも、第１実施例と同様に、別途の遮光部を備えずに表示パネル３００をガイドパネル３２５に付着する付着部材３５０を黒色で形成して表示パネル３００とガイドパネル３２５の上面部３２５ａの間に漏洩する光を遮断することもでき、遮光部３６１を備えて、より効率的に光を遮断することもできる。  
【００９２】
また、遮光部３６１を備えずに付着部材３５０を特定カラー（つまり、特定波長の光を透過する）の物質で構成して、表示パネル３００とガイドパネル３２５の上面部３２５ａの間に特定カラーの光のみが漏洩するようにして、表示装置の外郭に特定カラーの帯が表示される装飾効果を得ることもできる。  
【００９３】
図７は、本発明による表示装置の他の構造を示した図である。図７に示したように、この構造の表示装置では、遮光部３２６をミドルフレームに形成するのではなく、ガイドパネル３２５の上面部３２５ａに備え、表示パネル３００とガイドパネル３２５の上面の間に漏洩する光を遮断する。ここで、遮光部３２６は、ガイドパネル３２５の上面部３２５ａと一体に形成することもでき、別個に形成して設置することもできる。  
【００９４】
図８Ａ及び図８Ｂは、本発明が第４実施例によるボーダーレス表示装置の構造を示した断面図である。この実施例の表示装置の構造は、図２に示した第１実施例の表示装置の構造とは、ミドルフレームとガイドパネルおよびこれらの結合構造を除いて、他の構成は同一なので、同一な構成に対する説明を省略して、異なる構造に対してのみ説明する。図では、たとえ図２および図８Ａと図８Ｂで同一な構成が他の符号（例えば、図２では１００番台の番号であり、図８Ａと図８Ｂでは、４００番台の番号）で記載されていても、同一な構成に対しては、図２で記載した説明に代えることができる。  
【００９５】
図８Ａに示したように、この構造の表示装置では、別途の結合手段が存在せず、表示モジュールが直接表示装置に結合される。すなわち、第１〜３実施例では、ミドルフレームを設けて、表示モジュールをミドルフレームに結合するのに対し、この実施例では、別途のミドルフレームを設けないで、表示モジュールを直接、表示装置に結合する。  
【００９６】
ここで、ガイドパネル４２５は、上面部４２５ａと、上面部４２５ａから下部に延長した２つの側面部４２５ｂ、４２５ｃを備え、側面部４２５ｂ、４２５ｃは、互いに一定距離離隔して形成して上面部４２５ａと連結し、側面部４２５ｂ、４２５ｃと上面部４２５ａによって結合空間４２５ｄが形成される。結合空間４２５ｄには、表示装置の下部カバー４４０の側面部４４０ａが位置する。  
【００９７】
ここで、ガイドパネル４２５の第１側面部４２５ｂ（導光板４２０に隣接して配置された側面部）には、第１結合部４２５ｅが具備され、下部カバー４４０の側面部４４０ａには、第２結合部４４０ｂが備えられて、第１結合部４２５ｅおよび第２結合部４４０ｂが結合して、下部カバー４４０がガイドパネル４２５に固定される。ここで、第１結合部４２５ｅは、凸部の形状であり、第２結合部４４０ｂは、凹部形状に構成して第１結合部４２５ｅを第２結合部４４０ｂに挿入して下部カバー４４０をガイドパネル４２５に結合することもでき、第１結合部４２５ｅが凹部形状であり、第２結合部４４０ｂは凸部形状に構成して、第２結合部４４０ｂを第１結合部４２５ｅに挿入して、下部カバー４４０をガイドパネル４２５に結合することもできる。  
【００９８】
また、図８Ｂに示すように、第１結合部４２５ｅを第２側面部４２５ｃに形成して、第１結合部４２５ｅを下部カバー４４０の側面部４４０ａに形成した第２結合部４４０ｂと
結合して、下部カバー４４０をガイドパネル４２５に結合することもできる。  
【００９９】
ガイドパネル４２５の上面部４２５ａには、遮光部４２６を備える。遮光部４２６は、ガイドパネル４２５の上面部４２５ａの上面から設定された距離突出して、表示パネル４００とガイドパネル４２５の上面部４２５ａの間に漏洩する光を遮断することにより、表示装置の側面に光が漏洩することを防止する。  
【０１００】
もちろん、この実施例の表示装置でも別途の遮光部を備えずに、接着部材４５０を黒色で形成して、表示パネル４００とガイドパネル４２５の上面部４２５ａの間に漏洩する光を遮断することもでき、遮光部４２６を備えることによって、より効率的に光を遮断することもできる。  
【０１０１】
また、第１実施例と同様に、この実施例でも、遮光部４２６を備えずに、付着部材４５０を特定カラー（つまり、特定波長の光を透過する）の物質で構成して、表示パネル４００とガイドパネル４２５の上面部４２５ａの間に特定カラーの光のみが漏洩するようにして、表示装置の外郭に特定カラーの帯が表示される装飾効果を得ることもできる。  
【０１０２】
このような構造では、ミドルフレームのような表示モジュールを表示装置に結合するための結合構成が設けられていないので、組み立てられた表示装置の画面側の前面には、表示パネル４００の前面と側面だけが露出するだけで、表示装置の他の構成は、全く露出しなくなる。したがって、表示装置の前面が全体的に同一なレベルの平らな面で構成され、画面と枠の境界面が除去された、ボーダーレス表示装置の製作が可能になる。  
【０１０３】
上述したように、本発明では、表示モジュールを表示装置に組み立てるとき、表示装置の外装ケースのミドルフレームが表示モジュールと結合し、ここで、ミドルフレームが表示パネルの下部、特に、表示パネル下部で表示パネルを支持するガイドパネルの下部に配置されるので、ミドルフレームを含む表示装置のいかなる構成要素も表示パネル上部に突出しなくなる。したがって、組み立てられた表示装置前面の画面上には、表示パネルのみが露出して、他の部分は露出しなくなるため、表示パネルのガラス基板のみが表示装置の前面外部に露出する。  
【０１０４】
その結果、画面が表示される表示装置の表面は、全体的にガラス基板だけが露出して、同一なレベルのなめらかな平面に形成され、画面と枠の間に境界が形成されなくなり、ボーダーレス画面を有する表示装置を製作できるようになる。  
【０１０５】
また、本発明では、実際に画像が具現される表示領域を囲む領域を表示パネルの外郭領域に限定するようになるため、表示装置のベゼル面積を最小化することができるようになって、表示装置の非表示領域の大きさを減少させられるだけでなく、表示装置の前面の全体領域を通じて画像を具現できるようになることによって、きれいに外観を飾ることができるようになる。  
【０１０６】
そして、本発明では、カバーガラスのような別途の構成なしにボーダーレス表示装置の具現が可能なので、表示装置の製造コストを削減することができるだけでなく、表示装置の重量が大幅に増加することを防止することができ、製造工程が複雑化することによって発生し得る様々な問題を防止することができるようになる。  
【０１０７】
さらに、本発明では、表示装置の側面を通じて漏洩する光を遮断して側面を通じて光漏れが発生することを防止することができるだけでなく、特定カラーが表示装置の側面を通じて漏洩するようにすることにより、装飾効果を得られるようになる。  
【０１０８】
上述した詳細説明では、本発明の構成を特定構造で説明したが、本発明がこれらの特定構造に限定されるのではない。本発明の要旨は、表示装置を製作するときに表示装置の画面側に表示パネルのみが露出して表示装置の他の構成は外部に露出せず、画面側の表面をボーダーレスの構造で形成する。したがって、このようなボーダーレスな構造を有することさえできれば、いかなる構造も可能である。  
【０１０９】
つまり、本発明では、実際に表示モジュールを表示装置と結合させるミドルフレームとガイドパネルの結合構造を表示パネルの下部に位置させると共に、ミドルフレームの最上部を表示パネルの下部に位置させることで、表示モジュールと結合する表示装置のいかなる構成も表示パネルが露出する領域に露出しないようにする。  
【０１１０】
また、上述した説明では、液晶表示モジュールを例に挙げて説明したが、本発明が液晶表示モジュールのみに限定されるのではなく、有機電界発光表示モジュールや電気泳動表示モジュールのような様々な構造の平板表示モジュールに適用することができる。このような、他の平板表示モジュールに適用する場合、表示装置に結合する表示パネルは、有機電界発光表示パネルや電気泳動パネルを含むことになる。  
【０１１１】
以上、本発明の好ましい実施例に対して詳細に説明したが、当該技術分野で通常の知識を有する者であれば、これから様々な変形および均等な他の実施例が可能である点を理解できるだろう。  
【０１１２】
したがって、本発明の権利範囲は、これに限定されるのではなく、次の請求の範囲で定義している本発明の基本概念を用いた当業者の様々な変形および改良形態もまた、本発明の権利範囲に属するものである。
【符号の説明】
【０１１３】
１００  液晶パネル、１１２、１１４  偏光板、１２０  導光板、１２５  ガイドパネル、１２６、１６１  遮光部、１２８  反射板、１４０  下部カバー、１５１  ＬＥＤ基板、１５２  ＬＥＤ、１６０  ミドルフレーム。
【図１】
0006527892.tif 000002
【図２】
0006527892.tif 000003
【図３】
0006527892.tif 000004
【図４】
0006527892.tif 000005
【図５】
0006527892.tif 000006
【図６】
0006527892.tif 000007
【図７】
0006527892.tif 000008
【図８Ａ】
0006527892.tif 000009
【図８Ｂ】
0006527892.tif 000010